(57)【特許請求の範囲】
【請求項１】
紙葉類の投入を受け付ける入金口と、紙葉類を払い出す出金口と、紙葉類の種類を識別する識別部と、上記識別部で識別した紙葉類を一時的に収納する一時保留部と、紙葉類を返却する返却口と、紙葉類を収納する収納部と、上記入金口と上記出金口と上記識別部と上記一時保留部と上記返却口と上記収納部との間で紙葉類を搬送する搬送路とを備えた紙葉類取扱装置であって、
収集する紙葉類の種類を特定する種類特定手段と、
前記入金口に投入された全ての紙葉類を処理しても前記種類特定手段で特定された種類の紙葉類が所定枚数に達していない場合に不足分の紙葉類を前記収納部から補充するか否かを選択許容する補充選択手段と、
収集する紙葉類の枚数を計数する計数手段と、
前記補充選択手段で補充が選択され、前記種類特定手段で特定された紙葉類が前記所定枚数に達していない場合に、紙葉類を前記収納部から補充する補充手段とを備えた
紙葉類取扱装置。
【請求項２】
紙葉類を収集する枚数を指定許容する枚数指定手段を備えた
請求項１記載の紙葉類取扱装置。
【請求項３】
前記種類特定手段を、収集する紙葉類の種類の指定を許容する種類指定手段で構成した
請求項１または２記載の紙葉類取扱装置。
【請求項４】
前記種類特定手段を、前記識別部で識別した紙葉類の種類の順番に基づいて収集する紙葉類の種類を決定する識別順種類決定手段で構成した
請求項１または２記載の紙葉類取扱装置。
【請求項５】
収集する紙葉類の搬送先を特定する搬送先特定手段を備えた
請求項１から４のいずれか１つに記載の紙葉類取扱装置。
【発明の詳細な説明】
【技術分野】
【０００１】
この発明は、例えば金融機関等の窓口で窓口対応者に使用されるような紙葉類取引装置に関する。
【背景技術】
【０００２】
従来、金融機関の窓口には、窓口対応者の使用する端末が設置されており、この端末に接続して紙葉類取扱装置が設置されている。この紙葉類取扱装置は、紙葉類の入金、出金および整理を行うことができる。
【０００３】
このような紙葉類取扱装置による紙葉類の整理業務に関して、入金口に投入された紙葉類を規定の枚数ごとに収集し、規定の枚数に満たない場合は装置内に収納されている紙葉類から払い出して補充をする紙幣処理装置が提案されている（特許文献１参照）。
【０００４】
しかし、この紙幣処理装置は、入金口に投入された紙葉類が予め定められた規定数に満たなければ、必ず装置内の紙葉類を補充して規定数に揃えるものであった。このため、単に混合紙幣を種類毎に分類したいような場合には適していなかった。
【０００５】
詳述すると、例えば規定枚数より多い枚数の紙葉類を収集したい場合、窓口対応者は紙葉類の整理処理を複数回指示しなければならなかった。  
また、規定数より少ない枚数の紙葉類を収集したい場合、窓口対応者は、紙幣処理装置から取り出した規定数の紙葉類から、余剰分の紙葉類を抜き取らなければならなかった。
【０００６】
また、上述の紙幣処理装置は、顧客から預かった紙幣を計数するような場合であっても、入金口に投入された顧客の紙幣が規定数に満たなければ、装置内の紙葉類を補充してしまう。従って、窓口対応者の行う種々の業務に対応するためには適切ではなかった。つまり、金融機関にて行う業務では、顧客から預かった紙幣と、金融機関の紙幣を混ぜてはいけないという決まりがあるが、上述の紙幣処理装置は顧客から預かった紙幣と金融機関の紙幣である装置内の紙幣を混合してしまうものであった。
【特許文献１】特開平８−９６２１６号公報
【発明の開示】
【発明が解決しようとする課題】
【０００７】
この発明は、上述の問題に鑑み、利便性を向上して窓口対応者の満足度を向上させることができる紙葉類取引装置を提供することを目的とする。
【課題を解決するための手段】
【０００８】
この発明は、紙葉類の投入を受け付ける入金口と、紙葉類を払い出す出金口と、紙葉類の種類を識別する識別部と、上記識別部で識別した紙葉類を一時的に収納する一時保留部と、紙葉類を返却する返却口と、紙葉類を収納する収納部と、上記入金口と上記出金口と上記識別部と上記一時保留部と上記返却口と上記収納部との間で紙葉類を搬送する搬送路とを備えた紙葉類取扱装置であって、収集する紙葉類の種類を特定する種類特定手段と、前記入金口に投入された全ての紙葉類を処理しても前記種類特定手段で特定された種類の紙葉類が所定枚数に達していない場合に不足分の紙葉類を前記収納部から補充するか否かを選択許容する補充選択手段と、収集する紙葉類の枚数を計数する計数手段と、前記補充選択手段で補充が選択され、前記種類特定手段で特定された紙葉類が前記所定枚数に達していない場合に、紙葉類を前記収納部から補充する補充手段とを備えた紙葉類取扱装置であることを特徴とする。
【発明の効果】
【０００９】
この発明により、利便性を向上して金融機関の窓口対応者の満足度を向上させることができる。
【発明を実施するための最良の形態】
【００１０】
この発明の一実施形態を以下図面と共に説明する。  
【実施例１】
【００１１】
図１は、本発明の一実施形態である紙葉類取扱装置の構成図である。この実施例では、紙葉類として紙幣を使用する場合について説明する。  
１は窓口対応者が顧客情報や取引情報などを扱うための窓口端末装置である。この窓口端末装置１は、ＣＲＴや液晶ディスプレイ等で構成される表示部、キーボードやマウス等で構成される入力部、通信線３で接続された紙葉類搬送装置２と通信する通信部、ＣＰＵ等で構成される制御部、およびハードディスク等で構成される記憶部が備えられている。
【００１２】
２は紙葉類や小切手などの紙葉類の払い出しや預け入れや分類を行う紙葉類搬送装置である。この紙葉類搬送装置２は、通信線３によって２台の窓口端末装置１と接続されており、この窓口端末装置１と紙葉類搬送装置２で紙葉類取扱装置が構成されている。
【００１３】
４は紙葉類の預け入れや整理を開始する際に窓口対応者が押下するスタートボタン、５は窓口対応者が紙葉類の預け入れや分類をする際に紙葉類搬送装置２内に紙葉類を取り込むための入金口、６は窓口対応者が紙葉類を払い出す際に紙葉類搬送装置２内から紙葉類を取り出すための出金口、７は預け入れや分類の際に発生したリジェクト券を窓口対応者に返却するための返却口である。さらに、８は紙葉類搬送装置２の占有状況を窓口対応者に通知するための占有ランプである。
【００１４】
図２は、紙葉類搬送装置２の概略図を示す。  
２１は計数した紙葉類を一時的に集積する一時保留部、２２は紙葉類を識別する識別部、２３ａ〜２３ｄは紙葉類を種類別に集積する収納部、２４は識別部２２によってリジェクトされた紙葉類を収納する回収部、２５は入金口５、識別部２２、一時保留部２１、出金口６、返却口７をループして紙葉類を搬送する上部搬送路、２６は上部搬送路２５から収納部２３ａ〜２３ｄ及び回収部２４の上を経由して再び上部搬送路２５へと紙葉類を搬送する下部搬送路、２７は入金口５から上部搬送路２５へと紙葉類を搬送する入金口搬送路、２８は上部搬送路２５から出金口６へと紙葉類を搬送する出金口搬送路、２９は上部搬送路２５から返却口７へと紙葉類を搬送する返却口搬送路、３０は上部搬送路２５から一時保留部２１へと紙葉類を搬送する一時保留部収納搬送路、３１は一時保留部２１から上部搬送路２５へと紙葉類を搬送する一時保留部繰出搬送路、３２ａ〜３２ｄは下部搬送路２６から収納部２３ａ〜２３ｄへと紙葉類を搬送する収納部収納搬送路、３３ａ〜３３ｄは収納部２３ａ〜２３ｄから下部搬送路２６へと紙葉類を搬送する収納部繰出搬送路、３４は下部搬送路２６から回収部２４へと紙葉類を搬送する回収部搬送路、３５は紙葉類が通過するのを検知する通過センサ、３６は紙葉類を搬送する方向を切換えるゲート、３７は入金口５に紙葉類があるか否かを検知する入金口紙葉類検知センサ、３８は出金口６に紙葉類があるか否かを検知する出金口紙葉類検知センサ、３９は返却口７に紙葉類があるか否かを検知する返却口紙葉類検知センサである。
【００１５】
図３は、紙葉類搬送装置２の制御ブロック図を示す。  
紙葉類搬送装置２の制御部は、業務処理部２ａ、搬送処理部２ｂから構成される。１０１は２台の窓口端末装置１の排他制御や各部位を制御する業務処理主制御部、１０２は窓口端末装置１との通信を制御する上位通信制御部、１０３はボタン制御部、１０４はブザー制御部、１０５はランプ制御部、１０６は表示器制御部、１０７は搬送処理部２ｂとの通信を制御する下位通信制御部、１０８は時計の制御を行う時計制御部、１０９は業務処理部２ａの設定情報を記憶するための記憶部である。
【００１６】
また、１１０は紙葉類の搬送を制御する搬送処理主制御部、１１１は業務処理部２ａとの通信を制御する上位通信制御部、１１２はセンサ制御部、１１３はゲート制御部、１１４は搬送モータ制御部、１１５は搬送路移動量計数部、１１６は紙葉類の判別を行う識別処理部、１１７は入金口制御部、１１８は出金口制御部、１１９は収納庫制御部、１２０は一時保留庫制御部、１２１は搬送処理部２ｂの設定情報を記憶するための記憶部である。
【００１７】
図４（Ａ）は窓口端末装置１に表示する業務メニュー画面２１０の画面イメージ図を示し、図４（Ｂ）は窓口端末装置１に表示する整理業務メニュー画面２２０の画面イメージ図を示し、図５は窓口端末装置１に表示する処理結果画面２３０の画面イメージ図を示す。
【００１８】
図４（Ａ）に示す業務メニュー画面２１０には、複数の業務メニューボタン２１１が設けられている。この業務メニューボタン２１１は、「入金業務」、「出金業務」、「補充業務」、「回収業務」、および「整理業務」の５つのボタンで構成されている。業務メニューボタン２１１のうちマウスカーソルＣによって「整理業務」が選択されると、図４（Ｂ）に示す整理業務メニュー画面２２０に移行する。
【００１９】
図４（Ｂ）に示す整理業務メニュー画面２２０には、種類特定手段および種類指定手段としての金種指定部２２１、枚数指定手段としての枚数指定部２２２、搬送先特定手段としての搬送先指定部２２３、補充選択手段としての補充指定部２２４、処理開始ボタン２２５、およびキャンセルボタン２２６が設けられている。
【００２０】
金種指定部２２１は、１万円、５千円、１千円といった複数の金種のうちどの金種Ａの紙葉類を収集するか選択指定させるコンボボックスである。
【００２１】
枚数指定部２２２は、金種指定部２２１で指定された金種Ａの紙葉類を収集する枚数Ｍ（所定枚数）を入力指定させるテキストボックスである。なお、枚数の指定は省略することができる。省略された場合、紙葉類搬送装置２の業務処理部２ａの記憶部１０９に記憶されている初期値（例えば１００枚）を収集枚数Ｍとすればよい。
【００２２】
搬送先指定部２２３は、金種指定部２２１で指定された金種の紙葉類を枚数指定部２２２で指定された枚数分だけ搬送する搬送先を、出金口６と一時保留部２１のいずれにするか選択指定させるコンボボックスである。なお、この実施例では、搬送先を出金口６と一時保留部２１の２種類から選択できる構成としているが、出金口６と一時保留部２１と返却口７の３種類から選択できる構成にしてもよい。
【００２３】
補充指定部２２４は、入金口５に投入された紙葉類を全て処理しても、金種指定部２２１で指定された金種の紙葉類が枚数指定部２２２で指定された枚数だけ集まらなかった場合に、収納部２３ａ〜２３ｄから金種指定部２２１で指定された金種の紙葉類を補充するか否か選択させるチェックボックスである。
【００２４】
処理開始ボタン２２５は、マウスカーソルＣで選択されると、金種指定部２２１で指定された金種の紙葉類を搬送先指定部２２３に搬送し、枚数指定部２２２で指定された枚数まで収集できなかった場合に補充指定部２２４で収納部２３ａ〜２３ｄから紙葉類を補充する処理を実行する開始トリガとなる。  
キャンセルボタン２２６は、マウスカーソルＣで選択されると整理業務メニュー画面２２０を終了して業務メニュー画面２１０に戻るボタンである。
【００２５】
図５に示す処理結果画面２３０には、処理結果表示部２３１、次の整理へボタン２３２、および整理業務終了ボタン２３３が設けられている。  
処理結果表示部２３１は、処理した金種（金種指定部２２１で指定された金種）、１束の枚数（枚数指定部２２２で指定された枚数）、束数、入金口からの繰り出し枚数、補充枚数（収納部２３ａ〜２３ｄから補充した紙葉類の枚数）、および返却紙葉類の枚数を表示する。
【００２６】
次の整理へボタン２３２は、マウスカーソルＣで選択されると整理業務メニュー画面２２０に戻り、次の整理業務に移行する。  
整理業務終了ボタン２３３は、マウスカーソルＣで選択されると整理業務を終了し、業務メニュー画面２１０に戻る。
【００２７】
図６〜図９は、窓口端末装置１と紙葉類搬送装置２の動作を示す動作フロー図であり、窓口対応者が収集したい紙葉類１種類と、収集する枚数と、搬送先と、不足分を補充するか否かを指定し、入金口５に投入した紙葉類の束から、指定した紙葉類を収集する場合の動作を示す。
【００２８】
図６は、紙葉類の整理処理の開始を指示する処理の動作フロー図である。  
窓口端末装置１は、表示部に図４（Ａ）に示した業務メニュー画面２１０や図４（Ｂ）に示した整理業務メニュー画面２２０を表示し、窓口対応者による「金種、枚数、搬送先補充出金有無」の指定入力（ステップＳ１）を受け付けるまで待機する。
【００２９】
以降の説明では、例として「収集したい紙葉類の金種Ａを万円、収集したい枚数Ｍを１００枚、搬送先Ｐを出金口６、補充出金有り（指定した枚数に満たない場合は収納部２３ａ〜２３ｄから補充出金を行う）」を指定したものとする。
【００３０】
この指定を受け付けると、窓口端末装置１は、「万円１００枚を出金口６に収集し補充出金する」整理処理を開始させる整理処理指示を、通信線３を介して紙葉類搬送装置２に送信する（ステップＳ２）。
【００３１】
紙葉類搬送装置２の業務処理主制御部１０１は、整理処理の開始指示を受信すると、整理処理が可能か否かを判定し、可能であれば占有ランプ８を点灯するようランプ制御部１０５に指示し、下位通信制御部１０７を介して搬送処理主制御部１１０に「万円１００枚を出金口６に収集し補充出金する」整理処理を指示する。
【００３２】
窓口対応者によって紙葉類（例えば種類の混在する紙葉類の束）が紙葉類搬送装置２の入金口５に投入されると（ステップＳ３）、業務処理主制御部１０１は、入金口紙葉類検知センサ３７により入金口５に紙葉類が投入されたことを検知する（ステップＳ４）。紙葉類の束を入金口５に投入するタイミングについては、ステップＳ１で窓口対応者が窓口端末装置１で「整理業務」を選択する前に、あらかじめ紙葉類の束を入金口５に投入しても良い。
【００３３】
窓口対応者によって紙葉類搬送装置２のスタートボタン４が押下されると（ステップＳ５）、業務処理主制御部１０１は、整理処理の開始通知ありと判定する（ステップＳ６）。この整理処理の開始を通知すると、業務処理主制御部１０１は、下位通信制御部１０７を介して搬送処理主制御部１１０に紙葉類の搬送の開始を指示する。
【００３４】
なお、整理処理の開始を業務処理主制御部１０１に通知する方法として、窓口対応者がスタートボタン４を押下する方法だけでなく、窓口対応者が窓口端末装置１を介して通知する方法などもある。また、開始の通知を受けなくても、入金口紙葉類検知センサ３７が紙葉類を検知してから一定時間経過した後に自動的に整理処理を開始してもよい。
【００３５】
図７は、入金口５に投入された紙葉類の束を種類に応じて振り分けて搬送する処理の動作フロー図である。  
搬送処理主制御部１１０は、搬送モータ制御部１１４に対し各搬送路２５〜３４を動作させる指示をする（ステップＳ７）。
【００３６】
搬送処理主制御部１１０は、入金口制御部１１７に対し入金口５から紙葉類を繰出す指示をする（ステップＳ８）。
【００３７】
識別処理部１１６は、識別部２２を通過する紙葉類の識別を行い、搬送処理主制御部１１０に識別結果を通知する（ステップＳ９）。
【００３８】
識別結果が金種指定部２２１で指定された金種Ａ（この実施例では万円）である場合（ステップＳ９：ＹＥＳ）、搬送処理主制御部１１０は、ゲート制御部１１３に対し紙葉類を搬送先指定部２２３で指定された搬送先Ｐ（この実施例では出金口６）に搬送するようにゲート３６を切り替えるよう指示する（ステップＳ１０）。このとき、搬送処理主制御部１１０は、計数手段としても機能し、搬送先Ｐ（出金口６）に搬送した紙葉類の枚数を記憶部１２１に記憶する。
【００３９】
識別結果が金種Ａではない（この実施例では万円以外、または不明券である）場合（ステップＳ９：ＮＯ）、搬送処理主制御部１１０は、ゲート制御部１１３に、紙葉類を返却口７に搬送するようにゲート３６を切り替えるよう指示する（ステップＳ１１）。
【００４０】
センサ制御部１１２は、入金口紙葉類検知センサ３７が入金口５に紙葉類を検知しているか否かを搬送処理主制御部１１０に通知する（ステップＳ１２）。
【００４１】
入金口５に紙葉類がある場合（ステップＳ１２：ＹＥＳ）、搬送処理主制御部１１０は、記憶部１２１に記憶している搬送枚数を参照し、搬送先Ｐ（出金口６）に金種Ａ（万円）の紙葉類を枚数指定部２２２で指定された枚数Ｍ（この実施例では１００枚）搬送したか否かを判定する（ステップＳ１３）。
【００４２】
搬送先Ｐに搬送した枚数が枚数Ｍに満たない場合（ステップＳ１３：ＮＯ）、ステップＳ８に戻り入金口５から次の紙葉類を繰出す。
【００４３】
搬送先Ｐに搬送した枚数が枚数Ｍに到達した場合（ステップＳ１３：ＹＥＳ）、センサ制御部１１２は、各搬送路２５〜３４に紙葉類がないことを確認し、搬送処理主制御部１１０に通知する。搬送処理主制御部１１０は、センサ制御部１１２からの通知を受けると、搬送モータ制御部１１４に対し各搬送路２５〜３４の停止を指示する（ステップＳ１４）。
【００４４】
紙葉類搬送装置２は、窓口対応者が搬送先Ｐ（出金口６）返却口７から紙葉類を抜き取るのを待つ。出金口紙葉類検知センサ３８および返却口紙葉類検知センサ３９が紙葉類なしを検知すると、センサ制御部１１２は搬送処理主制御部１１０に対し紙葉類抜き取り完了を通知する（ステップＳ１５）。搬送処理主制御部１１０が紙葉類抜き取り完了の通知を受けると、ステップＳ７に戻り、紙葉類搬送装置２は次の１００枚の収集を開始する。
【００４５】
ステップＳ１２において入金口紙葉類検知センサ３７が入金口５に紙葉類なしを検知した場合、搬送処理主制御部１１０は次に説明する補充出金処理を行う。この補充出金処理を実行する搬送処理主制御部１１０は、補充手段として機能する。
【００４６】
図８は補充出金処理の動作フロー図である。  
搬送処理主制御部１１０は、補充出金が指示されているか否かを判定する（ステップＳ１６）。
【００４７】
補充出金が指示されている場合（ステップＳ１６：ＹＥＳ）、搬送処理主制御部１１０は記憶部１２１に記憶している搬送枚数を参照し、出金口６に金種Ａの紙葉類（万円）の補充出金が必要か否かを判定する（ステップＳ１７）。
【００４８】
搬送先Ｐに補充が必要な場合（ステップＳ１７：ＹＥＳ）、搬送処理主制御部１１０は、ゲート制御部１１３に対し紙葉類を収納部２３（２３ａ〜２３ｄ）から搬送先Ｐ（出金口６）に搬送するようにゲート３６を切り替えるよう指示し、収納部制御部１１９に対し金種Ａ（万円）が収納されている収納部２３（たとえば収納部２３ａ）から紙葉類を繰出すよう指示する。このとき、識別処理部１１６は、識別部２２を通過する紙葉類の識別を行い、搬送処理主制御部１１０に識別結果を通知する。識別結果が金種Ａである場合、紙葉類をそのまま搬送して搬送先Ｐ（万円）に補充する（ステップＳ１８）。識別結果が不明券である場合、搬送処理主制御部１１０はゲート制御部１１３に、紙葉類を回収部２４に搬送するようにゲート３６を切り替えるよう指示する。
【００４９】
搬送先Ｐへの金種Ａの紙葉類の補充出金が完了すると、センサ制御部１１２は、各搬送路２５〜３４に紙葉類がないことを確認し、搬送処理主制御部１１０に通知する。搬送処理主制御部１１０は、センサ制御部１１２からの通知を受けると、搬送モータ制御部１１４に対し各搬送路２５〜３４の停止を指示する（ステップＳ１９）。
【００５０】
図９は搬送終了後の動作フロー図である。  
紙葉類搬送装置２は、窓口対応者によって出金口６および返却口７の紙葉類が抜き取られるまで待機する（ステップＳ２０）。
【００５１】
窓口対応者によって紙葉類搬送装置２の出金口６および返却口７から紙葉類が抜き取られると（ステップＳ２１）、搬送処理主制御部１１０は、上位通信制御部１１１を介して業務処理主制御部１０１に「整理処理終了」を送信する。この「整理処理終了」を受信した業務処理主制御部１０１は、上位通信制御部１０２および通信線３を介して、窓口端末装置１に「整理処理終了」を送信する（ステップＳ２２）。
【００５２】
窓口端末装置１は、整理処理が終了したことを窓口対応者に通知するために、図５に示した「整理処理成功」の表示を行う（ステップＳ２３）。
【００５３】
窓口対応者によって窓口端末装置１で「整理業務終了」が入力されると（ステップＳ２４）、窓口端末装置１は、通信線３を介して紙葉類搬送装置２に「整理業務終了」を送信する（ステップＳ２５）。
【００５４】
業務処理主制御部１０１は、装置占有ランプ８を消灯するようランプ制御部１０５に指示する。紙葉類搬送装置２は次の指示待ちの状態となる（ステップＳ２６）。
【００５５】
以上の構成および動作により、窓口対応者が整理業務の都度、収集したい金種、収集枚数、搬送先、補充出金の有無を指定することができ、種々の整理業務内容に柔軟に対応して処理を実行できる。
【００５６】
すなわち、複数金種が混合している混合紙葉類群から特定の金種Ａの紙葉類を取り出したい窓口対応者は、混合紙葉類を入金口５に投入し、金種指定部２２１で金種Ａを指定し、補充指定部２２４でチェックせず補充出金無しを指定すれば、指定した金種Ａのみが混合紙葉類から抽出されて搬送先Ｐ（例えば出金口６）に搬送され、出金口６から目的の金種Ａの紙葉類を入手できる。
【００５７】
このとき、入金口５に投入された紙葉類（例えば顧客の紙葉類）と、収納部２３ａ〜２３ｄ（銀行の紙葉類）とが混ざることはないため、顧客の紙葉類と銀行の紙葉類が入れ替わるといったことを確実に防止できる。またこのとき、搬送先Ｐ（例えば出金口６）に搬送した金種Ａの紙葉類の枚数が処理結果画面２３０の処理結果表示部２３１に表示されるため、窓口対応者は、仕分けされた金種Ａの紙葉類が何枚あるかを容易に把握できる。
【００５８】
また、特定の金種Ａの紙葉類を特定枚数Ｍだけ必要な窓口対応者は、混合紙葉類あるいは１金種の紙葉類を入金口５に投入し、金種指定部２２１で金種Ａを指定し、枚数指定部２２２で枚数Ｍを指定し、補充指定部２２４でチェックして補充出金有りを指定すれば、金種Ａの紙葉類を枚数Ｍだけ束ねた札束を取得できる。このときも、搬送先Ｐ（例えば出金口６）に搬送した金種Ａの紙葉類の枚数が処理結果画面２３０の処理結果表示部２３１に表示されるため、窓口対応者は、仕分けされた金種Ａの紙葉類が何枚あるかを容易に把握できる。
【００５９】
また、搬送先Ｐを指定することができるため、窓口対応者は、指定した搬送先Ｐから目的の金種Ａの紙葉類を取り出すことができ、取り出し操作をスムーズに行うことができる。
【００６０】
また、従来のように、必要な枚数が揃うまで整理処理を繰り返し実行する手間、および、収集した紙葉類の束から余剰分を窓口対応者が手作業で取り除く手間を省くことができる。
【実施例２】
【００６１】
実施例２として、複数種類の紙葉類の分類を行うことができる紙葉類取扱装置について説明する。  
この実施例２の紙葉類取扱装置における窓口端末装置１および紙葉類搬送装置２のハードウェア構成は、実施例１と同一であるので、その詳細な説明を省略する。
【００６２】
図１０（Ａ）は窓口端末装置１に表示する整理業務メニュー画面２２０の画面イメージ図を示し、図１０（Ｂ）は窓口端末装置１に表示する処理結果画面２３０の画面イメージ図を示す。
【００６３】
図１０（Ａ）に示す整理業務メニュー画面２２０には、金種指定部２２１、枚数指定部２２２、搬送先指定部２２３、および補充指定部２２４が２つずつ設けられており、処理開始ボタン２２５、およびキャンセルボタン２２６が設けられている。
【００６４】
金種指定部２２１は、収集したい２種類の金種ＡおよびＢの指定を許容する。  
枚数指定部２２２は、各金種Ａ，Ｂの収集したい枚数ＭおよびＮの指定を許容する。  
搬送先指定部２２３は、各金種Ａ，Ｂを搬送したい搬送先ＰおよびＱの指定を許容する。  
このように、２種類の金種について指定できること以外は、実施例１の整理業務メニュー画面２２０と同一であるので、その詳細な説明を省略する。
【００６５】
図１０（Ｂ）に示す処理結果画面２３０には、処理結果表示部２３１、次の整理へボタン２３２、および整理業務終了ボタン２３３が設けられている。  
この処理結果画面２３０は、指定された２種類の金種Ａ，Ｂについての処理結果を処理結果表示部２３１に表示する点以外は、実施例１と同一であるので、その詳細な説明を省略する。
【００６６】
図１１〜図１４は、窓口端末装置１と紙葉類搬送装置２の動作を示す動作フロー図であり、窓口対応者が収集したい紙葉類２種類と、収集するそれぞれの枚数と、それぞれの搬送先と、それぞれ不足分を補充するか否かを指定し、入金口５に投入した紙葉類の束から、指定した紙葉類を収集する場合の動作を示す。
【００６７】
図１１は、紙葉類の整理処理の開始を指示する処理の動作フロー図である。  
窓口端末装置１は、表示部に実施例１の図４（Ａ）に示した「業務メニュー」画面や図１０（Ａ）に示した「整理業務メニュー」画面を表示し、窓口対応者による「金種、枚数、搬送先補充出金有無」の指定入力（ステップＳ３１）を受け付けるまで待機する。
【００６８】
以降の説明では、例として「収集したい紙葉類の金種Ａを万円、金種Ｂを千円、収集したい枚数Ｍ（所定枚数）を５０枚、枚数Ｎ（所定枚数）を５０枚、搬送先Ｐを出金口６、搬送先Ｑを一時保留部２１、金種Ａ、Ｂともに補充出金有り（指定した枚数に満たない場合は収納部２３ａ〜２３ｄから補充出金を行う）」を指定したものとする。
【００６９】
この指定を受け付けると、窓口端末装置１は、「万円５０枚を出金口６に収集し補充出金する、千円５０枚を一時保留部２１に収集し補充出金する」整理処理を開始させる整理処理指示を、通信線３を介して紙葉類搬送装置２に送信する（ステップＳ３２）。
【００７０】
紙葉類搬送装置２の業務処理主制御部１０１は、整理処理の開始指示を受信すると、整理処理が可能か否かを判定し、可能であれば占有ランプ８を点灯するようランプ制御部１０５に指示し、下位通信制御部１０７を介して搬送処理主制御部１１０に「万円５０枚を出金口６に収集し補充出金する、千円５０枚を一時保留部２１に収集し補充出金する」整理処理を指示する。
【００７１】
窓口対応者が種類の混在する紙葉類の束を紙葉類搬送装置２の入金口５に投入すると（ステップＳ３３）、業務処理主制御部１０１は、入金口紙葉類検知センサ３７により入金口５に紙葉類が投入されたことを検知する（ステップＳ３４）。紙葉類の束を入金口５に投入するタイミングについては、ステップＳ３１で窓口対応者が窓口端末装置１で「整理業務」を選択する前に、あらかじめ紙葉類の束を入金口５に投入しても良い。
【００７２】
窓口対応者が紙葉類搬送装置２のスタートボタン４を押下すると（ステップＳ３５）、業務処理主制御部１０１は、整理処理の開始通知ありと判定する（ステップＳ３６）。この整理処理の開始を通知すると、業務処理主制御部１０１は、下位通信制御部１０７を介して搬送処理主制御部１１０に紙葉類の搬送の開始を指示する。
【００７３】
なお、整理処理の開始を業務処理主制御部１０１に通知する方法として、窓口対応者がスタートボタン４を押下する方法だけでなく、窓口対応者が窓口端末装置１を介して通知する方法などもある。また、開始の通知を受けなくても、入金口紙葉類検知センサ３７が紙葉類を検知してから一定時間経過した後に自動的に整理処理を開始してもよい。
【００７４】
図１２は、入金口５に投入された紙葉類の束を金種に応じて振り分けて搬送する処理の動作フロー図である。
【００７５】
搬送処理主制御部１１０は、搬送モータ制御部１１４に対し各搬送路２５〜３４を動作させる指示をする（ステップＳ３７）。
【００７６】
搬送処理主制御部１１０は、入金口制御部１１７に対し入金口５から紙葉類を繰出す指示をする（ステップＳ３８）。
【００７７】
識別処理部１１６は、識別部２２を通過する紙葉類の識別を行い、搬送処理主制御部１１０に識別結果を通知する（ステップＳ３９）。
【００７８】
識別結果が金種Ａ（この実施例では万円）である場合（ステップＳ３９：金種Ａ）、搬送処理主制御部１１０は、ゲート制御部１１３に対し紙葉類を搬送先Ｐ（この実施例では出金口６）に搬送するようにゲート３６を切り替えるよう指示する（ステップＳ４０）。このとき、搬送処理主制御部１１０は、計数手段としても機能し、搬送先Ｐ（出金口６）に搬送した紙葉類の枚数を記憶部１２１に記憶する。
【００７９】
識別結果が金種Ｂ（この実施例では千円）である場合(ステップＳ３０：金種Ｂ)、搬送処理主制御部１１０は、ゲート制御部１１３に対し紙葉類を搬送先Ｑ（この実施例では一時保留部２１）に搬送するようにゲート３６を切り替えるよう指示する（ステップＳ４１）。このとき、搬送処理主制御部１１０は、計数手段としても機能し、搬送先Ｑ（一時保留部２１）に搬送した紙葉類の枚数を記憶部１２１に記憶する。
【００８０】
識別結果が金種Ａ（万円）以外かつ金種Ｂ（千円）以外（例えば５千円や不明券など）の場合（ステップＳ３９：その他）、搬送処理主制御部１１０は、ゲート制御部１１３に、紙葉類を返却口７に搬送するようにゲート３６を切り替えるよう指示する（ステップＳ４２）。
【００８１】
センサ制御部１１２は、入金口紙葉類検知センサ３７が入金口５に紙葉類を検知しているか否かを搬送処理主制御部１１０に通知する（ステップＳ４３）。
【００８２】
入金口５に紙葉類がある場合（ステップＳ４３：ＹＥＳ）、搬送処理主制御部１１０は、記憶部１２１に記憶している搬送枚数を参照し、搬送先Ｐ（出金口６）に金種Ａの紙葉類（万円）を枚数Ｍ（５０枚）搬送したか否かを判定する（ステップＳ４４）。
【００８３】
搬送先Ｐ（出金口６）に搬送した枚数が枚数Ｍ（５０枚）に満たない場合（ステップＳ４４：ＮＯ）、一時保留部２１がフルでなけれな（ステップＳ４７：ＮＯ）、ステップＳ３８に戻り入金口５から次の紙葉類を繰出する。一時保留部２１がフルであれば（ステップＳ４７：ＹＥＳ）、搬送処理主制御部１１０は、中断処理を実行する（ステップＳ４８）。
【００８４】
この中断処理では、業務処理主制御部１０１が、出金口６の紙葉類が枚数Ｍに満たない枚数不足通知、および出金口６の全ての紙葉類を窓口対応者に一旦抜き取らせる紙葉類抜き取り指示通知を窓口端末装置１に送信し、窓口端末装置１が枚数不足通知および紙葉類抜き取り指示通知を表示部に表示する。窓口対応者によって出金口６の全紙葉類が抜き取られたことを検知すると、業務処理主制御部１０１は、一時保留部２１（搬送先Ｑ）に収集している紙葉類を枚数Ｎ（５０枚）だけ（枚数Ｎに満たない場合は全て）出金口６に搬送する。そして、この抜き取り検知と出金口６への搬送を、一時保留部２１に保留している紙葉類が無くなるまで繰り返す。
【００８５】
搬送先Ｐ（出金口６）に搬送した枚数が枚数Ｍ（５０枚）に到達した場合（ステップＳ４４：ＹＥＳ）、センサ制御部１１２は、各搬送路２５〜３４に紙葉類がないことを確認し、搬送処理主制御部１１０に通知する。搬送処理主制御部１１０は、センサ制御部１１２からの通知を受けると、搬送モータ制御部１１４に対し各搬送路２５〜３４の停止を指示する（ステップＳ４５）。
【００８６】
紙葉類搬送装置２は、窓口対応者によって出金口６および返却口７から紙葉類が抜き取られるのを待つ。出金口紙葉類検知センサ３８および返却口紙葉類検知センサ３９が紙葉類なしを検知すると、センサ制御部１１２は搬送処理主制御部１１０に対し紙葉類抜き取り完了を通知する（ステップＳ４６）。
【００８７】
このとき、搬送先Ｑ（一時保留部２１）の金種Ｂの紙葉類（千円）を枚数Ｎ（５０枚）単位で取り出すことができるならば、搬送処理主制御部１１０は、ゲート制御部１１３および搬送モータ制御部１１４および一時保留部制御部１２０に対し、一時保留部２１の金種Ｂの紙幣（千円）を枚数Ｎ（５０枚）単位で出金口６に搬送するよう指示する。窓口対応者が出金口６の千円を抜き取り、出金口紙葉類検知センサ３８が紙葉類なしを検知すると、センサ制御部１１２は搬送処理主制御部１１０に対し出金口６の紙葉類が抜き取られたことを通知する。搬送処理主制御部１１０が紙葉類抜き取り完了の通知を受けると、ステップＳ３７に戻り、紙葉類搬送装置２は次の枚数Ｍ，Ｎ（５０枚）の収集を開始する。
【００８８】
入金口紙葉類検知センサ３７が入金口５に紙葉類なしを検知した場合（ステップＳ４３：ＮＯ）、次に説明する補充出金処理を行う。
【００８９】
図１３は、補充出金処理の動作フロー図である。この補充出金処理を実行する搬送処理主制御部１１０は、補充手段として機能する。  
搬送処理主制御部１１０は、金種Ａ（万円）の補充出金が指示されているか否かを判定する（ステップＳ４９）。
【００９０】
金種Ａ（万円）の補充出金が指示されている場合（ステップＳ４９：ＹＥＳ）、搬送処理主制御部１１０は、記憶部１２１に記憶している金種Ａ（万円）の搬送枚数を参照し、搬送先Ｐ（出金口６）に金種Ａ（万円）の補充出金が必要か否かを判定する（ステップＳ５０）。
【００９１】
搬送先Ｐ（出金口６）に補充が必要な場合（ステップＳ５０：ＹＥＳ）、搬送処理主制御部１１０は、ゲート制御部１１３に対し紙葉類を収納部２３から搬送先Ｐ（出金口６）に搬送するようにゲート３６を切り替えるよう指示し、収納部制御部１１９に対し金種Ａの紙葉類（万円）が収納されている収納部（たとえば収納部２３ａ）から紙葉類を繰出すよう指示する。識別処理部１１６は、識別部２２を通過する紙葉類の識別を行い、搬送処理主制御部１１０に識別結果を通知する。識別結果が金種Ａ（万円）である場合、搬送処理主制御部１１０は紙葉類をそのまま搬送して搬送先Ｐ（万円）に補充する（ステップＳ５１）。識別結果が金種Ａ（万円）以外である場合、搬送処理主制御部１１０はゲート制御部１１３に、紙葉類を回収部２４に搬送するようにゲート３６を切り替えるよう指示する。
【００９２】
搬送処理主制御部１１０は、金種Ｂ（千円）の補充出金が指示されているか否かを判定する（ステップＳ５２）。
【００９３】
金種Ｂ（千円）の補充出金が指示されている場合（ステップＳ５２：ＹＥＳ）、搬送処理主制御部１１０は、記憶部１２１に記憶している金種Ｂ（千円）の搬送枚数を参照し、搬送先Ｑ（一時保留部２１）に金種Ｂ（千円）の補充出金が必要か否かを判定する（ステップＳ５３）。
【００９４】
搬送先Ｑ（一時保留部２１）に補充が必要な場合（ステップＳ５３：ＹＥＳ）、搬送処理主制御部１１０は、ゲート制御部１１３に対し紙葉類を収納部２３から搬送先Ｑ（一時保留部２１）に搬送するようにゲート３６を切り替えるよう指示し、収納部制御部１１９に対し金種Ｂ（千円）が収納されている収納部（たとえば収納部２３ｃ）から紙葉類を繰出すよう指示する。識別処理部１１６は、識別部２２を通過する紙葉類の識別を行い、搬送処理主制御部１１０に識別結果を通知する。識別結果が金種Ｂ（千円）である場合、搬送処理主制御部１１０は紙葉類をそのまま搬送して搬送先Ｑ（一時保留部２１）に補充する（ステップＳ５４）。識別結果が金種Ｂ（千円）以外である場合、搬送処理主制御部１１０はゲート制御部１１３に、紙葉類を回収部２４に搬送するようにゲート３６を切り替えるよう指示する。
【００９５】
金種Ａ（万円）および金種Ｂ（千円）の補充出金が完了すると、センサ制御部１１２は、各搬送路２５〜３４に紙葉類がないことを確認し、搬送処理主制御部１１０に通知する。搬送処理主制御部１１０は、センサ制御部１１２からの通知を受けると、搬送モータ制御部１１４に対し各搬送路２５〜３４の停止を指示する（ステップＳ５５）。
【００９６】
図１４は、搬送終了後の動作フロー図である。  
紙葉類搬送装置２は、出金口６および返却口７の紙葉類が抜き取られるのを待つ（ステップＳ５６）。  
窓口対応者によって紙葉類搬送装置２の出金口６および返却口７から全ての紙葉類が抜き取られると（ステップＳ５７）、これを検出した紙葉類搬送装置２は、搬送先Ｑ（一時保留部２１）の金種Ｂ（千円）を枚数Ｎ（５０枚単位）で出金口６に搬送し、搬送した金種Ｂ（千円）が抜き取られるのを待つ（ステップＳ５８）。
【００９７】
窓口対応者によって紙葉類搬送装置２の出金口６の金種Ｂ（千円）が抜き取られると（ステップＳ５９）、これを検知した紙葉類搬送装置２は、搬送先Ｑ（一時保留部２１）の金種Ｂ（千円）が無くなるまで、ステップＳ５８〜Ｓ５９を繰り返す。
【００９８】
搬送処理主制御部１１０は、上位通信制御部１１１を介して業務処理主制御部１０１に「整理処理終了」を送信し、業務処理主制御部１０１は、上位通信制御部１０２および通信線３を介して、窓口端末装置１に「整理処理終了」を送信する（ステップＳ６０）。
【００９９】
窓口端末装置１は、整理処理が終了したことを窓口対応者に通知するために、図１０（Ｂ）に示した「整理処理成功」の表示を行う（ステップＳ６１）。  
窓口対応者によって「整理業務終了」が入力（整理業務終了ボタン２３３が押下）されると（ステップＳ６２）、これを検知した窓口端末装置１は、通信線３を介して紙葉類搬送装置２に「整理業務終了」を送信する（ステップＳ６３）。
【０１００】
業務処理主制御部１０１は、装置占有ランプ８を消灯するようランプ制御部１０５に指示し、紙葉類搬送装置２は次の指示待ちの状態となる（ステップＳ６４）。
【０１０１】
以上の動作により、窓口対応者が整理業務の都度、収集したい金種、収集枚数、搬送先、補充出金の有無を指定することができ、実施例１と同一の効果を得ることができる。
【０１０２】
さらに、この実施例２では、２種類の金種を指定できるため、一度の処理で２種類の金種を収集することができ、混合紙幣を処理する際に効率よく収集できる。  
また、指定する２種類の金種についてそれぞれ枚数および搬送先を個別に設定できるため、目的に応じて種々の収集を行うことができ、窓口対応者の要求に柔軟に対応できる。 
【実施例３】
【０１０３】
実施例３として、紙葉類搬送装置２の識別部２２の識別結果によって収集する紙葉類の金種を決定するオートモードを行うことができる紙葉類取扱装置について説明する。この実施例では、識別部２２が最初に識別した紙葉類を収集するように設定した場合について説明する。
【０１０４】
この実施例３の紙葉類取扱装置における窓口端末装置１および紙葉類搬送装置２のハードウェア構成は、実施例１と同一であるので、その詳細な説明を省略する。
【０１０５】
図１５は、窓口端末装置１に表示する整理業務メニュー画面２２０の画面イメージ図を示す。  
金種指定部２２１は、収集する紙葉類の金種Ａ（１万円、５千円または１千円）か、オートモードかを選択指定させるコンボボックスである。  
他の構成は、図４（Ｂ）に示した実施例１の整理業務メニュー画面２２０と同一であるので、その詳細な説明を省略する。
【０１０６】
図１６〜図１７は、窓口端末装置１と紙葉類搬送装置２の動作を示す動作フロー図であり、窓口対応者が、収集する枚数と、搬送先と、不足分を補充するか否かを指定し、入金口５に投入した紙葉類の束から、指定した紙葉類を収集する場合の動作を示す。
【０１０７】
図１６は、紙葉類の整理処理の開始を指示する処理の動作フロー図である。  
窓口対応者によって窓口端末装置１に表示される業務メニュー画面２１０から「整理業務」が選択されると、窓口端末装置１は、図１５に示した整理業務メニュー画面２２０を表示する。
【０１０８】
窓口対応者によって整理業務メニュー画面２２０から、収集したい紙葉類の金種Ａ（この実施例ではオートモード）、収集したい枚数Ｍ、搬送先Ｐ、指定した枚数に満たない場合に収納部２３ａ〜２３ｄからの補充出金をするか否かが指定され、処理開始ボタンが押下されると（ステップＳ７１）、窓口端末装置１はオートモードを開始する。
【０１０９】
なお、枚数の指定は省略することもでき、この場合、紙葉類搬送装置２の業務処理部２ａの記憶部１０９に記憶されている初期値（例えば１００枚）を収集枚数とする。以降の説明では、例として「オートモード収集、収集したい枚数Ｍを１００枚、搬送先Ｐを出金口６、補充出金有り（指定した枚数に満たない場合は収納部２３ａ〜２３ｄら補充出金を行う）」が指定されたものとする。
【０１１０】
窓口端末装置１は、通信線３を介して、「オートモードで１００枚を出金口６に収集し補充出金する」整理処理を開始することを紙葉類搬送装置２に送信する（ステップＳ７２）。
【０１１１】
紙葉類搬送装置２の業務処理主制御部１０１は、整理処理の開始指示を受信すると整理処理が可能か否かを判定し、可能であれば占有ランプ８を点灯するようランプ制御部１０５に指示し、下位通信制御部１０７を介して搬送処理主制御部１１０に「オートモードで１００枚を出金口６に収集し補充出金する」整理処理を指示する。
【０１１２】
窓口対応者によって種類の混在する紙葉類の束が紙葉類搬送装置２の入金口５に投入されると（ステップＳ７３）、業務処理主制御部１０１は、入金口紙葉類検知センサ３７により入金口５に紙葉類が投入されたことを検知する（ステップＳ７４）。紙葉類の束を入金口５に投入するタイミングについては、ステップＳ７１で窓口対応者が窓口端末装置１で「整理業務」を選択する前に、あらかじめ紙葉類の束を入金口５に投入しても良い。
【０１１３】
窓口対応者によって紙葉類搬送装置２のスタートボタン４が押下されると（ステップＳ７５）、業務処理主制御部１０１は、整理処理の開始通知ありと判定する（ステップＳ７６）。この整理処理の開始を通知すると、業務処理主制御部１０１は、下位通信制御部１０７を介して搬送処理主制御部１１０に紙葉類の搬送の開始を指示する。
【０１１４】
なお、整理処理の開始を業務処理主制御部１０１に通知する方法として、窓口対応者がスタートボタン４を押下する方法だけでなく、窓口対応者が窓口端末装置１を介して通知する方法などもある。また、開始の通知を受けなくても、入金口紙葉類検知センサ３７が紙葉類を検知してから一定時間経過した後に自動的に整理処理を開始してもよい。
【０１１５】
図１７は、識別部２２の識別結果から出金口６に収集する紙葉類を決定する処理の動作フロー図である。  
搬送処理主制御部１１０は、搬送モータ制御部１１４に対し各搬送路２５〜３４を動作させる指示をする（ステップＳ７７）。
【０１１６】
搬送処理主制御部１１０は、入金口制御部１１７に対し入金口５から紙葉類を繰出す指示をする（ステップＳ７８）。  
識別処理部１１６は、識別部２２を通過する紙葉類の識別を行い、搬送処理主制御部１１０に識別結果を通知する（ステップＳ７９）。
【０１１７】
識別結果が紙葉類搬送装置２で取扱可能な金種Ａの場合（ステップＳ７９：ＹＥＳ）、搬送処理主制御部１１０は、種類特定手段および識別順種類決定手段として機能し、金種Ａを搬送先Ｐ（出金口６）に収集する金種に設定する（ステップＳ８０）。
【０１１８】
搬送処理主制御部１１０は、ゲート制御部１１３に対し紙葉類を搬送先Ｐ（出金口６）に搬送するようにゲート３６を切り替えるよう指示する。このとき、搬送処理主制御部１１０は、計数手段としても機能し、搬送先Ｐ（出金口６）に搬送した紙葉類の枚数を記憶部１２１に記憶する（ステップＳ８１）。
【０１１９】
搬送処理主制御部１１０が搬送先Ｐ（出金口６）に収集する紙葉類の金種Ａを決定した後の動作は、実施例１のステップｓ１２〜ｓ１５（図７参照）に示したように、窓口対応者が収集する金種Ａを窓口端末装置２から入力した場合と同様であるので、その詳細な説明を省略する。
【０１２０】
識別結果が紙葉類搬送装置２で取扱不可の金種の場合または不明券である場合（ステップｓ７９：ＮＯ）、搬送処理主制御部１１０は、ゲート制御部１１３に、紙葉類を返却口７に搬送するようにゲート３６を切り替えるよう指示する（ステップＳ８２）。
【０１２１】
センサ制御部１１２は、入金口紙葉類検知センサ３７が入金口５に紙葉類を検知しているか否かを搬送処理主制御部１１０に通知する。入金口５に紙葉類がある場合（ステップＳ８３：ＹＥＳ）、ステップＳ７８に戻り入金口５から次の紙葉類を繰出す。
【０１２２】
入金口５に紙葉類がない場合（ステップＳ８３：ＮＯ）、紙葉類搬送装置２は、返却口７の紙葉類抜取待ちをする（ステップＳ８４）。窓口対応者による返却口７の紙葉類の抜き取りを検知すると、紙葉類搬送装置２は、上位通信制御部１０２および通信線３を介して整理処理の終了を送信する。窓口端末装置１は、整理処理の終了を受信すると結果を表示し、整理業務を終了する。
【０１２３】
以上の動作により、実施例１と同一の効果を得ることができると共に、オートモードにて識別部２２が最初に識別した金種を収集する紙葉類とすることで、収集する紙葉類の金種Ａを窓口対応者が入力する手間を省くことができる。
【実施例４】
【０１２４】
実施例４として、収集する紙葉類の金種を、紙葉類搬送装置２の識別部２２が識別した順番に設定するオートモードについて説明する。  
この実施例４の紙葉類取扱装置における窓口端末装置１および紙葉類搬送装置２のハードウェア構成は、実施例１と同一であるので、その詳細な説明を省略する。
【０１２５】
図１８は、窓口端末装置１に表示する整理業務メニュー画面２２０の画面イメージ図を示す。
【０１２６】
金種指定部２２１は、収集する紙葉類の金種Ａ（１万円、５千円または１千円）か、オートモードかを選択指定させるコンボボックスである。  
他の構成は、図１０（Ａ）に示した実施例１の整理業務メニュー画面２２０と同一であるので、その詳細な説明を省略する。
【０１２７】
図１９〜図２０は、整理業務において収集する紙葉類の金種を識別部２の識別結果によって決定する場合の処理の動作フロー図である。  
図１９は紙葉類の整理処理の開始を指示する処理の動作フロー図である。  
窓口対応者によって窓口端末装置１に表示する「業務メニュー」画面から「整理業務」が選択され、「整理業務」が選択されると、窓口端末装置１は、図１８に示した整理業務メニュー画面２２０を表示する。
【０１２８】
窓口対応者によって整理業務メニュー画面２２０から、収集したい紙葉類の金種ＡおよびＢ、収集したい枚数ＭおよびＮ、搬送先ＰおよびＱ、指定した枚数に満たない場合に収納部２３ａ〜２３ｄからの補充出金をするか否かが指定され、処理開始ボタンが押下されると（ステップＳ９１）、窓口端末装置１はオートモードを開始する。
【０１２９】
なお、枚数の指定は省略することもでき、この場合、紙葉類搬送装置２の業務処理部２ａの記憶部１０９に記憶されている初期値（例えば５０枚）を収集枚数とする。以降の説明では、例として「収集する２金種をオートモードで決定、収集したい枚数Ｍを５０枚、Ｎを５０枚、搬送先Ｐを出金口６、Ｑを一時保留部２１、２金種とも補充出金有り（指定した枚数に満たない場合は２金種とも収納部２３ａ〜２３ｄから補充出金を行う）」を指定したものとする。
【０１３０】
窓口端末装置１は、通信線３を介して、「オートモードで５０枚を出金口６に収集し補充出金する、オートモードで５０枚を一時保留部２１に収集し補充出金する」整理処理を開始することを紙葉類搬送装置２に送信する（ステップＳ９２）。紙葉類搬送装置２の業務処理主制御部１０１は、整理処理の開始指示を受信すると整理処理が可能か否かを判定し、可能であれば占有ランプ８を点灯するようランプ制御部１０５に指示し、下位通信制御部１０７を介して搬送処理主制御部１１０に「オートモードで５０枚を出金口６に収集し補充出金する、オートモードで５０枚を一時保留部２１に収集し補充出金する」整理処理を指示する。
【０１３１】
窓口対応者によって種類の混在する紙葉類の束が紙葉類搬送装置２の入金口５に投入されると（ステップＳ９３）、業務処理主制御部１０１は、入金口紙葉類検知センサ３７により入金口５に紙葉類が投入されたことを検知する（ステップＳ９４）。紙葉類の束を入金口５に投入するタイミングについては、ステップＳ９１で窓口対応者が窓口端末装置１で「整理業務」を選択する前に、あらかじめ紙葉類の束を入金口５に投入しても良い。
【０１３２】
窓口対応者によって紙葉類搬送装置２のスタートボタン４が押下されると（ステップＳ９５）、業務処理主制御部１０１は、整理処理の開始通知ありと判定する（ステップＳ９６）。この整理処理の開始を通知すると、業務処理主制御部１０１は、下位通信制御部１０７を介して搬送処理主制御部１１０に紙葉類の搬送の開始を指示する。
【０１３３】
図２０は、識別部２２の識別結果から出金口６および一時保留部２１に収集する紙葉類を決定する処理の動作フロー図である。  
搬送処理主制御部１１０は、搬送モータ制御部１１４に対し各搬送路２５〜３４を動作させる指示をする（ステップＳ９７）。
【０１３４】
搬送処理主制御部１１０は入金口制御部１１７に対し入金口５から紙葉類を繰出す指示をする（ステップＳ９８）。  
識別処理部１１６は、識別部２２を通過する紙葉類の識別を行い、搬送処理主制御部１１０に識別結果を通知する(ステップＳ９９)。
【０１３５】
識別結果が紙葉類搬送装置２で取扱可能な金種の場合（ステップＳ９９：ＹＥＳ）、搬送処理主制御部１１０は、種類特定手段および識別順種類決定手段として機能し、識別した紙葉類の金種を搬送先Ｐ（出金口６）に収集する金種Ａに設定する（ステップＳ１００）。
【０１３６】
搬送処理主制御部１１０は、ゲート制御部１１３に対し紙葉類を搬送先Ｐ（出金口６）に搬送するようにゲート３６を切り替えるよう指示する。このとき、搬送処理主制御部１１０は、計数手段としても機能し、搬送先Ｐ（出金口６）に搬送した紙葉類の枚数を記憶部１２１に記憶する（ステップＳ１０１）。
【０１３７】
識別結果が紙葉類搬送装置２で取扱不可の金種の場合または不明券である場合（ステップＳ９９：ＮＯ）、搬送処理主制御部１１０は、ゲート制御部１１３に、紙葉類を返却口７に搬送するようにゲート３６を切り替えるよう指示する（ステップＳ１０２）。
【０１３８】
センサ制御部１１２は、入金口紙葉類検知センサ３７が入金口５に紙葉類を検知しているか否かを搬送処理主制御部１１０に通知する。
入金口５に紙葉類がある場合（ステップＳ１０３：ＹＥＳ）、ステップＳ９８に戻り、入金口５から次の紙葉類を繰出す。
【０１３９】
入金口５に紙葉類がない場合（ステップＳ１０３：ＮＯ）、紙葉類搬送装置２は、返却口７の紙葉類抜取待ちをし、窓口対応者によって返却口７の紙葉類が抜き取られると、紙葉類搬送装置２は上位通信制御部１０２および通信線３を介して整理処理の終了を送信する（ステップＳ１０４）。窓口端末装置１は整理処理の終了を受信すると結果を表示し、整理業務を終了する。
【０１４０】
搬送先Ｐ（出金口６）に収集する紙葉類の金種Ａが決定（前記ステップＳ１００〜Ｓ１０１）した後、センサ制御部１１２は、入金口紙葉類検知センサ３７が入金口５に紙葉類を検知しているか否かを搬送処理主制御部１１０に通知する（ステップＳ１０５）。
【０１４１】
入金口５に紙葉類がある場合（ステップＳ１０５：ＹＥＳ）、入金口５から次の紙葉類を繰出す（ステップＳ１０６）。
【０１４２】
識別処理部１１６は、識別部２２を通過する紙葉類の識別を行い、搬送処理主制御部１１０に識別結果を通知する（ステップＳ１０７）。  
識別結果が金種Ａの紙葉類である場合（ステップＳ１０７：金種Ａ）、搬送処理主制御部１１０は、ゲート制御部１１３に対し紙葉類を搬送先Ｐ（出金口６）に搬送するようにゲート３６を切り替えるよう指示する。このとき、搬送処理主制御部１１０は、計数手段としても機能し、搬送先Ｐ（出金口６）に搬送した紙葉類の枚数を記憶部１２１に記憶する（ステップＳ１０８）。
【０１４３】
識別結果が紙葉類搬送装置２で取扱可能な種類かつ金種Ａ以外の場合（ステップＳ１０７：金種Ａ以外の取扱金種）、搬送処理主制御部１１０は、種類特定手段および識別順種類決定手段として機能し、当該種類を金種Ｂの紙葉類として搬送先Ｑ（一時保留部２１）に収集する種類に設定する（ステップＳ１０９）。
【０１４４】
搬送処理主制御部１１０は、ゲート制御部１１３に対し紙葉類を搬送先Ｑ（一時保留部２１）に搬送するようにゲート３６を切り替えるよう指示する。このとき、搬送処理主制御部１１０は、計数手段としても機能し、一時保留部２１に搬送した紙葉類の枚数を記憶部１２１に記憶する（ステップＳ１１０）。
【０１４５】
搬送処理主制御部１１０が搬送先Ｐ（出金口６）に収集する金種Ａの紙葉類および搬送先Ｑ（一時保留部２１）に収集する金種Ｂの紙葉類を決定した後の動作（ステップＳ１１０以降の動作）は、ステップＳ５６〜Ｓ６４に示したとおり、窓口対応者が収集する金種Ａおよび金種Ｂを窓口端末装置１から入力した場合と同様である。
【０１４６】
前記ステップＳ１０７で識別結果が紙葉類搬送装置２で取扱不可の種類の場合または不明券である場合（ステップＳ１０７：取扱金種以外）、搬送処理主制御部１１０は、ゲート制御部１１３に、紙葉類を返却口７に搬送するようにゲート３６を切り替えるよう指示する（ステップＳ１１１）。
【０１４７】
センサ制御部１１２は、入金口紙葉類検知センサ３７が入金口５に紙葉類を検知しているか否かを搬送処理主制御部１１０に通知する（ステップＳ１１２）。
【０１４８】
入金口５に紙葉類がある場合（ステップＳ１１２：ＹＥＳ）、搬送処理主制御部１１０は搬送先Ｐ（出金口６）に金種Ａが枚数Ｍ（５０枚）あるか否かを判定する（ステップＳ１１３）。
【０１４９】
搬送先Ｐ（出金口６）に金種Ａが枚数Ｍ（５０枚）ある場合（ステップＳ１１３：ＹＥＳ）、センサ制御部１１２は、各搬送路２５〜３４に紙葉類がないことを確認し、搬送処理主制御部１１０に通知する。搬送処理主制御部１１０は、センサ制御部１１２からの通知を受けると、搬送モータ制御部１１４に対し各搬送路２５〜３４の停止を指示する（ステップＳ１１４）。
【０１５０】
紙葉類搬送装置２は、搬送先Ｐ（出金口６）に搬送した紙葉類が抜き取られるのを待ち（ステップＳ１１５）、搬送処理主制御部１１０は、搬送モータ制御部１１４に対し各搬送路２５〜３４を動作させる指示をし（ステップＳ１１６）、ステップＳ１０６に戻る。
【０１５１】
ステップＳ１０５またはＳ１１２において入金口５に紙葉類がない場合（ステップＳ１０５：ＮＯ，またはステップＳ１１２：ＮＯ）、紙葉類搬送装置２は、搬送先Ｐ（出金口６）に搬送した紙葉類の補充出金を必要に応じて行い、窓口対応者により紙葉類取扱装置２から紙葉類が抜き取られるまで待機する。紙葉類が抜き取られた後、窓口対応者によって窓口端末装置１から「整理業務終了」が入力され、整理業務を終了する（ステップＳ１１７）。
【０１５２】
以上の動作により、実施例１と同一の効果を得ることができると共に、オートモードにて識別部２２が最初に識別した取り扱い可能な金種を第１の収集する金種Ａとし、次に識別した取り扱い可能な金種を第２の収集する金種Ｂすることで、収集する紙葉類の金種Ａ、Ｂを窓口対応者が入力する手間を省くことができる。
【０１５３】
なお、この発明は、上述の実施形態の構成のみに限定されるものではなく、多くの実施の形態を得ることができる。
【図面の簡単な説明】
【０１５４】
【図１】紙葉類取扱装置の構成図。
【図２】紙葉類搬送装置の概略図。
【図３】紙葉類搬送装置の制御ブロック図。
【図４】業務メニュー画面と整理業務メニュー画面の画面イメージ図。
【図５】処理結果画面の画面イメージ図。
【図６】紙葉類の整理処理の開始を指示する処理の動作フロー図。
【図７】紙葉類を種類に応じて振り分けて搬送する処理の動作フロー図。
【図８】紙葉類を補充出金する補充出金処理の動作フロー図。
【図９】搬送終了後の動作フロー図。
【図１０】実施例２の整理業務メニュー画面および処理結果画面の画面イメージ図。
【図１１】実施例２の紙葉類の整理処理の開始を指示する処理の動作フロー図。
【図１２】実施例２の紙葉類を振り分けて搬送する処理の動作フロー図。
【図１３】実施例２の紙葉類を補充出金する補充出金処理の動作フロー図。
【図１４】実施例２の搬送終了後の動作フロー図。
【図１５】実施例３の整理業務メニュー画面の画面イメージ図。
【図１６】実施例３の紙葉類の整理処理の開始を指示する処理の動作フロー図。
【図１７】実施例３の収集する紙葉類を決定する処理の動作フロー図。
【図１８】実施例４の整理業務メニュー画面の画面イメージ図。
【図１９】実施例４の紙葉類の整理処理の開始を指示する処理の動作フロー図。
【図２０】実施例４の収集する紙葉類を決定する処理の動作フロー図。
【符号の説明】
【０１５５】
１…窓口端末装置、２…紙葉類搬送装置、５…入金口、６…出金口、７…返却口、２１…一時保留部、２２…識別部、２３ａ〜２３ｄ…収納部、２５〜３４…各種搬送路、１１０…搬送処理主制御部、２２１…金種指定部、２２２…枚数指定部、２２３…搬送先指定部、２２４…補充指定部、Ｍ，Ｎ…枚数、Ｐ，Ｑ…搬送先
【図１】
0004776432.tif 000002
【図２】
0004776432.tif 000003
【図３】
0004776432.tif 000004
【図４】
0004776432.tif 000005
【図５】
0004776432.tif 000006
【図６】
0004776432.tif 000007
【図７】
0004776432.tif 000008
【図８】
0004776432.tif 000009
【図９】
0004776432.tif 000010
【図１０】
0004776432.tif 000011
【図１１】
0004776432.tif 000012
【図１２】
0004776432.tif 000013
【図１３】
0004776432.tif 000014
【図１４】
0004776432.tif 000015
【図１５】
0004776432.tif 000016
【図１６】
0004776432.tif 000017
【図１７】
0004776432.tif 000018
【図１８】
0004776432.tif 000019
【図１９】
0004776432.tif 000020
【図２０】
0004776432.tif 000021